【手続補正書】
【提出日】平成28年11月28日(2016.11.28)
【手続補正１】
【補正対象書類名】特許請求の範囲
【補正対象項目名】全文
【補正方法】変更
【補正の内容】
【特許請求の範囲】
【請求項１】
調和空気を生成する空気調和機構と、
前記調和空気の吹出方向を調節する吹出方向調節機構と、
制御部と、を備え、
冷房運転中に、前記調和空気を躯体に直接的に吹き付けて前記躯体を冷却させる躯体冷却モードを有し、
前記制御部は、前記躯体冷却モードの実行中に、前記躯体の温度が躯体冷却停止温度になると、前記調和空気が前記躯体に直接的に吹き付けられないように前記吹出方向調節機構を制御して、前記躯体冷却モードを終了することを特徴とする空気調和機。
【請求項２】
調和空気を生成する空気調和機構と、
前記調和空気の吹出方向を調節する吹出方向調節機構と、
制御部と、を備え、
冷房運転中に、前記調和空気を躯体に直接的に吹き付けて前記躯体を冷却させる躯体冷却モードを有し、
前記制御部は、室内空間に人が存在する場合に、前記躯体冷却モードを実行し、前記躯体冷却モードの実行中に、前記躯体の温度が躯体冷却停止温度になると、前記調和空気が前記躯体に直接的に吹き付けられないように前記吹出方向調節機構を制御して、前記躯体冷却モードを終了することを特徴とする空気調和機。
【請求項３】
前記躯体は、壁であることを特徴とする請求項１又は２に記載の空気調和機。
【請求項４】
前記躯体は、天井であることを特徴とする請求項１又は２に記載の空気調和機。
【請求項５】
前記躯体の温度が前記躯体冷却停止温度になるまで前記調和空気を前記躯体に直接的に吹き付けることで、前記躯体を所望の温度にまで冷却させることを特徴とする請求項１から４の何れか１項に記載の空気調和機。
【請求項６】
調和空気を生成する空気調和機構と、
前記調和空気の吹出方向を調節する吹出方向調節機構と、
制御部と、を備え、
冷房運転中に、前記調和空気を天井に直接的に吹き付けて前記天井を冷却させる天井冷却モードを有し、
前記制御部は、前記天井冷却モードでは、室内空間に前記調和空気を吹き出す第１吹出方向よりも上を向いた第２吹出方向に前記吹出方向調節機構を制御し、前記天井の温度が天井冷却停止温度になると、前記第２吹出方向よりも下向きに前記吹出方向調節機構を制御することを特徴とする空気調和機。
【手続補正２】
【補正対象書類名】明細書
【補正対象項目名】発明の名称
【補正方法】変更
【補正の内容】
【発明の名称】空気調和機
【手続補正３】
【補正対象書類名】明細書
【補正対象項目名】０００７
【補正方法】変更
【補正の内容】
【０００７】
本発明の別の態様に係る空気調和機は、調和空気を生成する空気調和機構と、前記調和空気の吹出方向を調節する吹出方向調節機構と、制御部と、を備え、冷房運転中に、前記調和空気を躯体に直接的に吹き付けて前記躯体を冷却させる躯体冷却モードを有し、前記制御部は、前記躯体冷却モードの実行中に、前記躯体の温度が躯体冷却停止温度になると、前記調和空気が前記躯体に直接的に吹き付けられないように前記吹出方向調節機構を制御して、前記躯体冷却モードを終了することを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
本発明にかかる空気調和機では、室内温度を所定温度まで下げる時間を短縮することができる。
【手続補正８】
【補正対象書類名】明細書
【補正対象項目名】０１１９
【補正方法】変更
【補正の内容】
【０１１９】
−第１４の実施の形態−
第１３の実施の形態は、待機状態が一定時間以上継続したら停止状態になる点で第１の実施の形態と相違する。なお、このような態様は、第２〜第１３の実施の形態にも適用可能である。具体的には、待機状態となった時点からの時間をタイマ２９ｄで計測することによって実現することができる。
−その他の応用例−
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。例えば、本実施の形態では冷暖房可能な空気調和機にて本発明を説明したが、冷房運転に関係するものは冷房専用機器に適用することができ、暖房運転に関係するものは暖房専用機器に適用することができる
＜付記＞
本発明の別の態様に係る第１の局面の空気調和機は、空気調和機構、吹出方向調節機構、外気温度情報取得部、第１情報記憶部および制御部を備える。空気調和機構は、調和空気を生成する。なお、ここにいう空気調和機構は、特に限定されないが、例えば、圧縮機構および膨張機構を含む空気調和機構等である。吹出方向調節機構は、調和空気の吹出方向を調節する。外気温度情報取得部は、外気温度の情報を取得する。なお、外気温度情報取得部は、外気温度センサから外気温度の情報を取得してもよいし、ネットワーク経由で気象庁等の外部データベースから外気温度の情報を取得してもよい。第１情報記憶部には、外気温度に対する閾値の情報が記憶される。制御部は、外気温度が閾値以上または閾値以下となった場合、第２吹出方向に調和空気を吹き出させるように吹出方向調節機構を制御する。なお、第２吹出方向とは、第１吹出方向範囲よりも外側の吹出方向である。また、ここで、第１吹出方向範囲は、調和空気を室内空間へ吹き出す方向の範囲であり、第２吹出方向は、調和空気を外壁や、天井、床等の躯体へ直接的に吹き出す方向である。そして、ここで外気温度が閾値以上となる場合は、空気調和機構が冷房運転している場合を想定しており、外気温度が閾値以下となる場合は、空気調和機構が暖房運転している場合を想定している。また、制御部は、外気温度が閾値以上または閾値以下とならなかった場合、空気調和機構を待機状態としてもよい。
本発明の別の態様に係る第２の局面の空気調和機は、第１局面の空気調和機であって、存否判断部をさらに備える。存否判断部は、対象物の存否を判断する。なお、ここにいう「対象物」とは、例えば、人やペット等の動物である。そして、制御部は、外気温度が閾値以上または閾値以下となり且つ存否判断部によって対象物が不在であると判断された場合、第２吹出方向に調和空気を吹き出させるように吹出方向調節機構を制御し、外気温度が閾値以上または閾値以下とならず且つ存否判断部によって対象物が不在であると判断された場合、空気調和機構を待機状態とする。
本発明の別の態様に係る第３の局面の空気調和機は、第１局面の空気調和機であって、第２情報記憶部をさらに備える。なお、この第２情報記憶部は、物理的に第１情報記憶部と同一であってもよいし、異なっていてもよい。第２情報記憶部には、第１条件の情報が記憶される。ここにいう第１条件とは、時間や、外気温度、室内温度、外気温度と室内温度の温度差またはそれらの組合せ等によって得られるパラメータ等である。そして、制御部は、外気温度が閾値以上または閾値以下となり且つ存否判断部によって対象物が不在であると判断された場合、第１条件が成立するまで第２吹出方向に調和空気を吹き出させるように吹出方向調節機構を制御する。
本発明の別の態様に係る第４局面の空気調和方法は、調和空気生成ステップおよび風向変更ステップを備える。調和空気生成ステップでは、調和空気が生成される。風向変更ステップでは、外気温度が閾値以上または閾値以下となった場合、第１吹出方向範囲よりも外側の吹出方向である第２吹出方向に調和空気が吹き出される。
本発明の別の態様に係る各空気調和機では、上述の通り、外気温度が閾値以上または閾値以下となった場合、制御部が、第２吹出方向に調和空気を吹き出させるように吹出方向調節機構を制御する。このため、この空気調和機は、例えば、夏場の日中等、外気温度が高いときに日当たり良好な部屋において外壁や、天井、床等の躯体を直接冷却することによって室内温度が直ちに上昇してしまうことを抑制することができ、また、冬場の朝や夜等、外気温度が低いときに日当たりが悪い部屋において外壁や、天井、床等の躯体を直接加熱することによって室内温度が直ちに低下してしまうことを抑制することができる。したがって、本発明にかかる空気調和機は、上述の環境下において室内温度を所定温度まで下げる又は上げる時間を短縮することができる。